(57)【要約】【課題】専用機を導入せずにＥＴＣ利用による道路利用料の領収書発行依頼を行なえる装置を提供することを課題とする。【解決手段】明細情報管理サーバーと、インターネットを介して明細情報管理サーバーに接続するクライアントＰＣとにより構成されるＥＴＣ利用明細書発行依頼システムであって、前記明細情報管理サーバーは、登録顧客毎の道路利用情報を記録したデータベースを管理し、インターネット経由でリクエストを受付け、要求される明細情報を前記データベースから抽出する明細情報提供手段を備えるものであって、前記クライアントＰＣは、利用者のＥＴＣカード上の記録を読み出し復号して前記明細情報管理サーバーへ領収書発行を依頼する領収書発行依頼手段を備えたものであって、利用者が前記クライアントＰＣから道路利用明細の発行を依頼することができるようにした。【選択図】  図１
2005011172.tif 000002
【特許請求の範囲】
【請求項１】
決済機関のネットワークに接続された決済サーバーと、明細情報管理サーバーと、インターネットを介して前記明細情報管理サーバーに接続するクライアントコンピュータとにより構成されるＥＴＣ利用明細書発行依頼システムであって、
前記明細情報管理サーバーは、登録顧客の個人情報を記録した顧客データベース、および、登録顧客毎の道路利用情報を記録したＥＴＣ明細情報データベースを管理し、前記決済サーバーに保持されている登録顧客に関する明細情報を読み出して前記ＥＴＣ明細情報データベースを更新する明細情報更新手段と、インターネットを介した明細情報リクエストを受付け、リクエスト元を認証した上で要求される明細情報を前記ＥＴＣ明細情報データベースから抽出する明細情報提供手段を備えるものであって、
前記クライアントコンピュータは、ＩＣカードリーダが接続されたものであって、利用者のＥＴＣカード上の記録を読み出し復号して前記明細情報管理サーバーへ明細情報リクエストを発行し、その返答を受取る明細情報要求手段を備えたものであって、
利用者が前記クライアントコンピュータのＩＣカードリーダへＥＴＣカードを挿入して、前記明細情報管理サーバーに接続することにより同カードに記録されている道路利用明細の発行を依頼することができるようにしたことを特徴とするＥＴＣ利用明細書発行依頼システム。
【請求項２】
前記決済サーバーと前記明細情報管理サーバーは、ネットワークで接続されている構成とした請求項１に記載のＥＴＣ利用明細書発行依頼システム。
【請求項３】
前記決済サーバーと前記明細情報管理サーバーは、オフライン接続された構成とした請求項１に記載のＥＴＣ利用明細書発行依頼システム。
【請求項４】
請求項１に記載のＥＴＣ利用明細書発行依頼システムにおいて、前記決済サーバーの明細情報提供手段は、インターネットを介した明細情報リクエストを受付け、リクエスト元を認証した上で要求される明細情報を前記ＥＴＣ明細情報データベースから抽出して、その内容をリクエスト元に返信するものであって、前記クライアントコンピュータは、返信された明細情報をモニタ画面またはプリンタに出力する明細情報出力手段を備えたものであって、クライアントコンピュータ上で明細情報の確認および印字出力ができるようにしたＥＴＣ利用明細書発行依頼システム。
【請求項５】
請求項１に記載のＥＴＣ利用明細書発行依頼システムにおいて、前記ＥＴＣ明細情報データベースは、登録顧客の道路利用の１件ごとに当該利用の決済が済んだかどうかを示すフラグ情報を管理するものであって、利用明細発行依頼された時に、当該利用の決済が済んでいない時は、前記明細情報提供手段は領収書としての発行は行なわない旨を返答することを特徴としたＥＴＣ利用明細書発行依頼システム。
【請求項６】
請求項１に記載のＥＴＣ利用明細書発行依頼システムにおいて、前記ＥＴＣ明細情報データベースは、登録顧客の道路利用の１件ごとに当該利用についての領収書を発行したかどうかを示すフラグ情報を管理するものであって、利用明細発行依頼された時に、既に領収書を発行している時は、前記明細情報提供手段はその旨を返答して、領収書を二重発行をしないようにすることを特徴としたＥＴＣ利用明細書発行依頼システム。
【請求項７】
請求項１から請求項６のいずれかに記載のＥＴＣ利用明細書発行依頼システムを構成する明細情報管理サーバー。
【請求項８】
請求項１から請求項６のいずれかに記載のＥＴＣ利用明細書発行依頼システムを構成する明細情報管理サーバーとしてコンピュータを動作させる一連の命令を記述したコンピュータプログラム。
【発明の詳細な説明】
【０００１】
【発明の属する技術分野】
本発明は、ＥＴＣ（Ｅｌｅｃｔｒｏｎｉｃ  Ｔｏｌｌ  Ｃｏｌｌｅｃｔｉｏｎ  Ｓｙｓｔｅｍ：ノンストップ自動料金支払いシステム）における高速道路利用明細書印刷システムに関する。
【０００２】
【従来技術】
高速道路、自動車専用有料道路における渋滞緩和、大気汚染の解消および利用者の利便性の向上を目的としてノンストップ自動料金支払いシステム（以下「ＥＴＣ」と記す）が実用化され、主要な高速道路、自動車専用有料道路に導入されている。
【０００３】
通常、ＥＴＣカードで高速道路を利用する場合、入口から出口までの間にかかった料金の確認はＥＴＣ車載器での表示のみで行なう。しかし、個人の通勤利用や運輸サービス事業等で必要な手続のために高速道路使用料の利用明細あるいは支払いの領収書が必要となることがある。その場合は、高速道路の出口で車を停めて係員に領収書を発行してもらうか、非特許文献１または非特許文献２のような専用装置を備えて、ＥＴＣカードを読取らせて内容を印字させる必要がある。
【非特許文献１】
インターネット＜ＵＲＬ：ｈｔｔｐ：／／ｐａｎａｓｏｎｉｃ．ｊｐ／ｃａｒ／ｉｔｓ／ＥＴＣ／ＣＹ−ＥＣＲ３００．ｈｔｍｌ＞
【非特許文献２】
インターネット＜ＵＲＬ：ｈｔｔｐ：／／ｗｗｗ．ｔｏｙｏｔａ．ｃｏ．ｊｐ／ｃａｒｌｉｆｅ／ｉｔｓ／ｅｔｃ＃ｂ／ｐｒｉｎｔｅｒ．ｈｔｍｌ＞
【０００４】
【発明が解決しようとする課題】
高速道路の出口で車を停めて係員に領収書を発行してもらう方法では、ＥＴＣのメリットが失われてしまうという問題がある。専用機を利用する場合は、そのためのコストを負担しなければならないという問題がある。
【０００５】
本発明はこのような問題点を考慮してなされたものであり、専用機を導入せずにＥＴＣ利用による道路利用料の明細書、領収書を印字させる装置を提供することを課題とする。
【０００６】
【課題を解決するための手段】
課題を解決するための第１の発明は、決済機関のネットワークに接続された決済サーバーと、明細情報管理サーバーと、インターネットを介して前記明細情報管理サーバーに接続するクライアントコンピュータとにより構成されるＥＴＣ利用明細書発行依頼システムであって、
前記明細情報管理サーバーは、登録顧客の個人情報を記録した顧客データベース、および、登録顧客毎の道路利用情報を記録したＥＴＣ明細情報データベースを管理し、前記決済サーバーに保持されている登録顧客に関する明細情報を読み出して前記ＥＴＣ明細情報データベースを更新する明細情報更新手段と、インターネットを介した明細情報リクエストを受付け、リクエスト元を認証した上で要求される明細情報を前記ＥＴＣ明細情報データベースから抽出する明細情報提供手段を備えるものであって、
前記クライアントコンピュータは、ＩＣカードリーダが接続されたものであって、利用者のＥＴＣカード上の記録を読み出し復号して前記明細情報管理サーバーへ明細情報リクエストを発行し、その返答を受取る明細情報要求手段を備えたものであって、
利用者が前記クライアントコンピュータのＩＣカードリーダへＥＴＣカードを挿入して、前記明細情報管理サーバーに接続することにより同カードに記録されている道路利用明細の発行を依頼することができるようにしたことを特徴とするＥＴＣ利用明細書発行依頼システムである。前記決済サーバーと前記明細情報管理サーバーは、ネットワークで接続された構成であってもよいし、オフライン接続された構成であっても、よい。
【０００７】
第１の発明においては、明細情報要求手段として動作するプログラムモジュールをパソコン等にインストールするだけで前記クライアントコンピュータとして利用することができるので、ＥＴＣカード利用者のための専用装置を備える必要がなくなる。発行依頼された利用明細書は、前記顧客データベースに登録されている住所に従って依頼したカード利用者のもとへ後日郵送される。尚、利用明細書を発行する側で、証明印等を付して領収書として使用できるものとして発行することもできる。
【０００８】
また、第１の発明に係るＥＴＣ利用明細書発行依頼システムのより好ましい態様としては、前記決済サーバーの明細情報提供手段は、インターネットを介した明細情報リクエストを受付け、リクエスト元を認証した上で要求される明細情報を前記ＥＴＣ明細情報データベースから抽出して、その内容をリクエスト元に返信するものであって、前記クライアントコンピュータは、返信された明細情報をモニタ画面またはプリンタに出力する明細情報出力手段を備えたものであって、クライアントコンピュータ上で明細情報の確認および確認のための印字出力ができるようにした構成としてもよい。
【０００９】
また、第１の発明に係るＥＴＣ利用明細書発行依頼システムのより好ましい態様としては、前記ＥＴＣ明細情報データベースは、登録顧客の道路利用の１件ごとに当該利用の決済が済んだかどうかを示すフラグ情報を管理するものであって、利用明細発行依頼された時に、当該利用の決済が済んでいない時は、前記明細情報提供手段は領収書としての発行は行なわない旨を返答するように構成してもよい。
【００１０】
また、第１の発明に係るＥＴＣ利用明細書発行依頼システムのより好ましい態様としては、前記ＥＴＣ明細情報データベースは、登録顧客の道路利用の１件ごとに当該利用についての領収書を発行したかどうかを示すフラグ情報を管理するものであって、利用明細発行依頼された時に、既に領収書を発行している時は、前記明細情報提供手段はその旨を返答して、領収書を二重発行をしないように構成してもよい。
【００１１】
課題を解決する第２の発明は第１の発明に係るＥＴＣ利用明細書発行依頼システムを構成する前記明細情報管理サーバーである。
【００１２】
課題を解決する第３の発明は第２の発明に係る明細情報管理サーバーとしてコンピュータを動作させる一連の命令を記述したコンピュータプログラムである。
【００１３】
【発明の実施の形態】
以下図面を用いて、本発明の一実施形態であるＥＴＣ利用明細書発行依頼システム１（以下システム１）を説明してゆく。図１はシステム１の全体構成図である。１０は、明細情報管理サーバーである。ＥＴＣを利用する登録顧客の個人登録情報を管理する顧客データベース１９と登録顧客毎の道路利用情報を記録したＥＴＣ明細情報データベース１８を管理する。また、明細情報管理サーバー１０は、決済サーバー３０に保持されているクレジットカード所有者のカード利用記録の中から、登録顧客の道路利用に関わる記録を読み出して前記ＥＴＣ明細情報データベース１８を更新する明細情報更新手段１２と後述するクライアントＰＣからのリクエストにより明細書または領収書を電子的に作成する明細情報提供手段１３を備える。
【００１４】
決済サーバー３０は、クレジットカードの決済処理を管理する決済データベース３９を備えたサーバーコンピュータである。８はクレジットカード会社、提携小売り店舗またはサービス事業者、および、銀行等の決済機関を接続する専用のネットワークである。決済サーバー３０は、クレジットカード会社に設置され、提携小売り店舗またはサービス事業者からのリクエストにより、カード利用者に替わって請求額を支払うための処理を行ない、一定期日になるとカード利用者の口座から同額を引落とす。この一連のトランザクションに必要な情報が前記データベースに保持されている。
【００１５】
サーバー１０の明細情報更新手段１２は、この決済データベース３９から、顧客データベース１９に登録された顧客の情報だけを抽出して、その内容によりＥＴＣ明細情報データベース１８を更新するものである。顧客データベース１９はＥＴＣカードの所有者だけを記録したデータベースなので、明細情報更新手段１２が抽出するデータは、当該カード所有者がＥＴＣカードを利用した時のデータだけが抽出されることになる。したがって、ＥＴＣ明細情報データベース１８は、決済データベース３９のサブセットに一部の情報を付加したものということができ、顧客データベース１９に登録されている登録顧客毎にＥＴＣカードを利用して道路を利用した１件毎に、利用日付時刻、支払い請求元（使用道路）、請求額、決済済かどうかのフラグ、領収書発行済みかどうかのフラグを１件のレコードとして記録蓄積される。このうち、領収書発行済みかどうかのフラグは、決済データベース３９にはない項目である。新しいレコードとして記録される時は必ず未発行の状態で生成され、カード利用者からの請求により領収書を発行した時に発行済みを表す内容に更新される。尚、決済サーバー３０と明細情報管理サーバー１０はネットワークで接続される構成とする。
【００１６】
ＥＴＣカード６の利用方法は概略次の通りである。ＥＴＣカード６は、車載器に挿入して使用する。車載器は、高速道路・有料道路の入出場ゲートを通過する際、入出場ゲートに設置されるアンテナと無線で交信して、入場時には通行券に相当するデータをＥＴＣカードに記録し、出場時には、このデータをゲートに設置されるアンテナに送信して通行料金を計算させる。通行料金は、出場時に運転者に視認されるよう表示されるほか、道路会社側のシステムおよびＥＴＣカード６の双方に道路利用データとして記録される。道路会社側のシステムは、ＥＴＣカードを発行したクレジットカード会社に料金精算の請求を行なう。
【００１７】
ＥＴＣカード６の内部の情報は、ＯＲＳＥ（財団法人道路システム高度化推進機構）の発行する鍵情報により暗号化されて記録される。したがって、道路利用記録等を読み出すには、これを復号する必要がある。
【００１８】
２０はクライアントＰＣである。明細情報管理サーバー１０とはインターネット７により接続される。ＥＴＣカード６を挿入するＩＣカードリーダー２２およびプリンタ２１を接続している。クライアントＰＣ２０には、ＥＴＣカードの記録を読み出し、復号して、復号したデータに基づいて、明細情報管理サーバー１０に対して明細書発行リクエストを発行する明細情報要求手段２８、および、明細情報を確認のためにモニタ画面またはプリンタに出力する明細情報出力手段２９を備えている。明細情報要求手段２８が発行する明細書発行リクエストはインターネット７を通じて明細情報管理サーバー１０に送付される。
【００１９】
図２は、システム１による明細情報発行依頼の手順を説明する図である。以下、図２にしたがって明細情報発行依頼の手順を説明する。
【００２０】
利用者がＥＴＣカード６をＩＣカードリーダー２２に挿入する。明細情報要求手段２８は記録された情報を読み出し、これを復号する。そしてＥＴＣカードの所有者識別情報を含む接続リクエストをサーバー１０に発行する（図２▲１▼）。サーバー１０は、所有者識別情報を顧客データベースと照合して、一致する者があれば、要求元に接続許可のリプライを返す（図２▲２▼）。次に、明細情報要求手段２８は領収書発行リクエストを作成して、サーバー１０に送り付ける（図２▲３▼）。サーバー１０はデータベース１８を参照して領収書が発行できる状態にあるかどうかをクライアントに返答する（図２▲４▼）。サーバー１０は領収書が発行できる場合は領収書を作成して、要求元に郵送する（図２▲４▼）。
【００２１】
図３は、クライアントコンピュータ２０から接続要求（図２▲１▼）を受けた場合のサーバー１０の処理を詳しく説明するフローチャートである。明細情報要求手段２８は、ＥＴＣカードに記録されている所有者の証明書データを含む接続要求メッセージを作成してこれをサーバー１０に送り付ける。サーバー１０では、この証明書データと顧客データベースの記録を突き合わせて、証明書データで特定される利用者が顧客データベースに登録されているかどうかを調べる（Ｓ１０）。証明書データで特定される利用者が顧客データベースに登録されている場合は、認証ＯＫ（接続許可）の返答をする（Ｓ１３）。証明書データで特定される利用者が顧客データベースに登録されていない場合は、認証ＮＧの返答をする。
【００２２】
図４は、クライアントコンピュータ２０から領収書発行要求（図２▲３▼）を受けた場合のサーバー１０の処理を詳しく説明するフローチャートである。領収書発行要求メッセージは、領収書の発行を受けたい１回の道路利用実績を特定する情報（日付、入口インターチェンジ、入場時刻、出口インターチェンジ、出場時刻など）を１件以上含んでいる。そこで、サーバー１０はまずそのデータを受付ける（Ｓ２０）。次に、ＥＴＣ明細情報データベース１８から対応する明細情報データを抽出する。抽出した情報には、１件ごとの道路利用記録について、既に決済が終っているかどうか、以前に領収書を発行したことがあったかどうかが分かるフラグ情報も含まれている。そこで、サーバー１０は、未決済の場合は未決済応答を返す（Ｓ２５）、決済済でかつ領収書発行済の場合は、二重発行を避けるために領収書発行済の応答を返す（Ｓ２７）、そうでない場合（決済済でかつ領収書が未発行の場合）に限り領収書発行受諾通知を応答し（Ｓ２８）、領収書を作成する（Ｓ２９）。作成された領収書は後日利用者のもとに郵送される。
【００２３】
以上説明したシステム１における明細情報要求手段２８は、ＯＲＳＥから提供される鍵情報とその復号手順をプログラムしたソフトウエア部品であるクライアントモジュールを利用して実現することができる。また、明細情報要求手段２８と明細情報提供手段１３のやり取りは明細情報管理サーバー１０にＨＴＴＰサーバーを備え、クライアントＰＣ２０にＷＷＷ（Ｗｏｒｌｄ  Ｗｉｄｅ  Ｗｅｂ）ブラウザを備えて実現することが可能である。また、決済サーバー３０と明細情報管理サーバー１０はネットワークで接続せずに、オフライン接続であってもよい。この場合には明細情報変更手段１２は、定期的に提供される記録媒体に記録されているの情報を読み出してＥＴＣ明細情報データベース１８の更新を行なう。
【００２４】
システム１では、ＩＣカードリーダ２２を接続した普通のパソコンに必要なソフトウエア、すなわち、明細情報要求手段２８および明細情報出力手段２９として動作するプログラム、をインストールすれば、非特許文献１や非特許文献２に記載のような専用機がなくても道路利用についての領収書の発行を依頼することができるという効果がある。専用機は高価であり個人で購入して使用するというよりも事業所等に１台設置して従業員に使用させることを狙いとした商品であるといえる。一方システム１の場合は、ＩＣカードリーダ２２を接続したパソコンがあれば、必要なソフトウエアをインストールするだけなので、事業所に備えて使用するという利用形態だけではなく、個人的に利用することも可能となる。
【００２５】
また、ＥＴＣカード発行者の顧客データベースを有するＥＴＣカードを発行するクレジットカード会社は、インターネットに接続されるサーバーコンピュータに明細情報管理サーバー１０として動作させるプログラムをインストールすれば、システム１が提供する道路利用明細書または領収書発行サービスを提供することができるという効果がある。
【００２６】
【発明の効果】
以上詳しく説明したように本発明に係るシステムによれば、専用機がなくてもＥＴＣカードを利用した道路利用についての領収書の発行を依頼することができるという顕著な効果を奏する。
【図面の簡単な説明】
【図１】本発明の実施形態に係るシステムの全体構成図である。
【図２】システムの領収書発行依頼処理の流れを説明する図である。
【図３】認証処理を詳細に説明するフローチャートである。
【図４】領収書発行依頼処理を詳細に説明するフローチャートである。
【符号の説明】
１          システム
６          ＥＴＣカード
７          インターネット
８          決済機関ネットワーク
１０      明細情報管理サーバー
１２      明細情報更新手段
１３      明細情報提供手段
１８      ＥＴＣ明細情報データベース
１９      顧客データベース
２０      クライアントＰＣ
２１      プリンタ
２２      ＩＣカードリーダー
２８      明細情報要求手段
２９      明細情報出力手段
３０      決済サーバー
３９      決済データベース
【図１】
2005011172.tif 000003
【図２】
2005011172.tif 000004
【図３】
2005011172.tif 000005
【図４】
2005011172.tif 000006